(57)【要約】      （修正有）【課題】制御局の試験が１名の試験員単独で行なえるようにした列車通信システム試験装置を提供する。【解決手段】操作卓モデル部６Ａと基地車上局モデル部６Ｂを備え、制御局２の選択接続制御部５を試験するための制御局試験装置６において、操作卓モデル部６Ａにはハンドセット７を設けるが、基地車上局モデル部６Ｂには、ハンドセットに代えて音声再生装置９とスピーカ１０を設け、ハンドセット７の受話器では音声再生装置９から供給されてくる音声が再生され、スピーカ１０からはハンドセット７の送話器に入力した音声が再生されるようにする。この結果、１個のハンドセット７を持ったままで双方の音声を聞くことができ、１名の検査員単独で試験が行なえるようになる。【選択図】図１
2009214683.tif 000002
【特許請求の範囲】
【請求項１】
複数の操作卓と複数の基地局が接続された選択接続制御部と、前記複数の基地局と無線通信回線で結ばれる複数の車上局を備え、前記複数の操作卓と前記複数の車上局が前記選択接続制御部により個別に選択接続されるようにした列車通信システムにおいて、
前記複数の操作卓と前記選択接続制御部を結ぶ操作卓ラインの夫々を引込みラインに切換える第１の切換スイッチ回路と、前記複数の基地局と前記選択接続制御部を結ぶ基地局ラインの夫々を引込みラインに切換える第２の切換スイッチ回路と、前記操作卓をシミュレーションした操作卓モデル部と前記基地局及び車上局をシミュレーションした基地車上局モデル部の双方が備えられている制御局試験装置とを設け、
前記第１の切換スイッチ回路による引込みラインは前記操作卓モデル部に接続し、前記第２の切換スイッチ回路による引込みラインは前記基地車上局モデル部に接続すると共に、
前記操作卓モデル部にはハンドセットを設け、前記基地車上局モデル部には音声再生装置とスピーカを設け、
前記制御局試験装置により前記選択接続制御部を試験するとき、前記ハンドセットの受話器から前記音声再生装置による音声信号が音声として再生され、前記スピーカからは前記ハンドセットの送話器に入力された音声による音声信号が音声として再生されるように構成したことを特徴とする列車通信システム試験装置。
【発明の詳細な説明】
【技術分野】
【０００１】
本発明は、複数の操作卓が複数の無線通信用の基地局を介して複数台の車上局と通信が行なえるようにした列車通信システムに係り、特に、このような列車通信システムにおける制御局の試験装置に関する。
【背景技術】
【０００２】
例えば鉄道輸送システムにおいては複数の列車が運行されている場合があり、従って、各列車の運転状況が中央部で把握でき、しかも必要に応じて個々の列車と中央部が相互に通信できるようにするのが望ましく、このため従来から各種の列車通信システムが提案されている(例えば特許文献１参照)。
そこで、このような列車通信システムの一例として、上記した複数台の操作卓が共通の制御局による制御のもとで複数の無線通信用の基地局を介して複数台の車上局と通信が行なえるようにした列車通信システムについて、図３により説明する。
【０００３】
この図３に示したシステムにおいては、中央部に通信用として複数台(例えばＬ台)の操作卓１が備えられ、これらが制御局２に個別に接続されている。
また、この制御部２には、これも複数局(例えばＭ局)の基地局３が同じく個別に接続されている。
そして、これらの基地局３は各々無線通信装置を備え、これにより有線通信と無線通信のインターフェース手段として機能し、複数局(例えばＮ局)の車上局４と相互に無線通信が行なえるように構成されている。
【０００４】
このため、制御局２に選択接続制御部５を設け、これにより複数台の操作卓１の各々と複数局の基地局３の各々が個別に接続できるようにする。つまり、この選択接続制御部５は、周知の電話交換機と類似した動作を行い、操作卓１からの要求に応じて、指定された車上局４が当該操作卓１に接続され、車上局４からの要求に応じて、指定された操作卓１が当該車上局４に接続されるように動作する。
従って、このシステムによれは、操作卓１のオペレータと車上局４のオペレータは、夫々任意に相手を選択することができ、その上で各種データの授受と通話が相互に行なえることになり、従って、各列車の運転状況が中央部で把握でき、しかも必要に応じで個々の列車と中央部が相互に通信できることになる。
【０００５】
ところで、どのようなシステムでも信頼性の維持が命題であることにかわりはないが、このような列車通信システムの場合、安全性に係ることから、特に信頼性の確保が強く要求され、従って、高い頻度による定期的な機能試験が欠かせない。
ここで、上記したシステムにおいては、その制御局２について、図２に示す試験装置が従来技術として知られている。
そこで、以下、この図２に示されている試験装置について説明する。
この場合、まず、制御局２には第１の切換スイッチ回路２Ａと第２の切換スイッチ回路２Ｂが設けられ、その上で制御局試験装置６が設けられている。
【０００６】
そして、まず、切換スイッチ回路２Ａは、選択接続制御部５と各操作卓１を接続するライン、すなわち操作卓ラインを各々操作卓引込みラインｃに切換える働きをする。このときの操作卓ラインの選択は、制御局試験装置６から与えられる切換信号ａにより制御される。
次に、切換スイッチ回路２Ｂは、選択接続制御部５と各基地局３を接続するライン、すなわち基地局ラインを各々基地局引込みラインｄに切換える働きをする。そして、このときの基地局ラインの選択は、制御局試験装置６から与えられる切換信号ｂにより制御される。
【０００７】
また、制御局試験装置６には、操作卓１をシミュレーション(模擬)した操作卓モデル部６Ａと、基地局３と車上局４の双方をシミュレーションした基地車上局モデル部６Ｂが夫々設けられ、このとき上記の操作卓引込みラインｃは操作卓モデル部６Ａに接続され、上記の基地局引込みラインｄは基地車上局モデル部６Ｂに接続されている。
そして、操作卓モデル部６Ａには送受話用のハンドセット７を設け、基地車上局モデル部６Ｂには同じく送受話用のハンドセット８を設け、これにより、以下に説明するようにして選択接続制御部５を試験し、正常に機能するか否か検査できるようにしてある。
【０００８】
まず、試験員は制御局試験装置６を操作し、指定された操作卓ラインと指定された基地局ラインが選択接続制御部５から制御局試験装置６に引き込まれるように切換信号ａ、ｂを出力させ、切換スイッチ回路２Ａ、２Ｂに供給する。
そうすると、このとき選択接続制御部５が正常な機能を保っていたとすれば、このとき指定された操作卓ラインと基地局ラインが正しく接続される筈であり、従って、このときは操作卓モデル部６Ａのハンドセット７と基地車上局モデル部６Ｂのハンドセット８により相互に通話が可能になる。
【０００９】
一方、このとき、通話ができなかったら選択接続制御部５が正常に機能していないことになり、従って、これにより選択接続制御部５が試験され、正常に機能するか否か検査できることになる。
そして、以上の操作を、切換スイッチ回路２Ａ、２Ｂを切換えることにより、操作卓ラインと基地局ラインの全てについて行なえば、選択接続制御部５の異常が何れの接続ラインに発生したのか特定ができることになる。
【特許文献１】特開２００１−８６０５５号公報
【発明の開示】
【発明が解決しようとする課題】
【００１０】
上記従来技術は、ハンドセットが操作卓モデル部と車上局モデル部の双方に設けられている点に配慮がされておらず、試験員が２名必要になるという問題があった。
ここで、試験員が１名の場合、音声を発し、それが一方のハンドセットのマイクに収音されるようにしながら、他方のハンドセットの受話器から発せられる音声を聴く必要があり、従って検査が困難である上、場合によっては両手が塞がってしまうので、試験中は通話しながら検査結果を記録しなければならないという問題があった。
【００１１】
本発明の目的は、制御局の試験が１名の試験員単独で行なえるようにした列車通信システム試験装置を提供することにある。
【課題を解決するための手段】
【００１２】
上記目的は、複数の操作卓と複数の基地局が接続された選択接続制御部と、前記複数の基地局と無線通信回線で結ばれる複数の車上局を備え、前記複数の操作卓と前記複数の車上局が前記選択接続制御部により個別に選択接続されるようにした列車通信システムにおいて、前記複数の操作卓と前記選択接続制御部を結ぶ操作卓ラインの夫々を引込みラインに切換える第１の切換スイッチ回路と、前記複数の基地局と前記選択接続制御部を結ぶ基地局ラインの夫々を引込みラインに切換える第２の切換スイッチ回路と、前記操作卓をシミュレーションした操作卓モデル部と前記基地局及び車上局をシミュレーションした基地車上局モデル部の双方が備えられている制御局試験装置とを設け、前記第１の切換スイッチ回路による引込みラインは前記操作卓モデル部に接続し、前記第２の切換スイッチ回路による引込みラインは前記基地車上局モデル部に接続すると共に、前記操作卓モデル部にはハンドセットを設け、前記基地車上局モデル部には音声再生装置とスピーカを設け、前記制御局試験装置により前記選択接続制御部を試験するとき、前記ハンドセットの受話器から前記音声再生装置による音声信号が音声として再生され、前記スピーカからは前記ハンドセットの送話器に入力された音声による音声信号が音声として再生されるようにして達成される。
【発明の効果】
【００１３】
本発明によれば、制御局の試験に必要なハンドセットが１個で済み、従って、試験員は片手或いは両手が空いた状態で試験に臨むことができ、この結果、試験員が１名の場合でも容易に試験内容の記録ができる。
【発明を実施するための最良の形態】
【００１４】
以下、本発明に係る通信システム試験装置について、図示の実施の形態により詳細に説明する。
ここで図１は、本発明の一実施の形態で、図において、９は音声再生装置、１０はスピーカ(拡声器)で、その他の構成は、図２に示した従来技術と同じであり、従って、この実施形態は、ブロック構成上は図２の従来技術におけるハンドセット８に代えて音声再生装置９とスピーカ１０を設けたものに相当する。
【００１５】
そして、まず、音声再生装置９は、例えばエンドレステープレコーダやＩＣレコーダ、或いは音声合成装置などで構成され、予め、試験に際して試験員(この場合、車上局の乗員)から応答されるであろう音声、例えは「こちらは良く聞こえています。異常ありません。」などの音声を想定し、それを音声信号として記録し、必要に応じてエンドレス再生し、基地車上局モデル部６Ｂに入力する働きをする。
このとき、音声再生装置９から基地車上局モデル部６Ｂに入力された音声信号は、試験中、基地車上局モデル部６Ｂから第２の切換スイッチ回路２Ｂと選択接続制御部５、それに第１の切換スイッチ回路２Ａを介して操作卓モデル部６Ａに供給される。
【００１６】
次に、スピーカ１０は、基地車上局モデル部６Ｂから供給される音声信号を、離れたところでも聴取が可能な音量の音声として再生する働きをする。
このときの音声信号は、試験に際して操作卓モデル部６Ａのハンドセット７の送話器から入力される試験員の音声による音声信号であり、これが操作卓モデル部６Ａから第１の切換スイッチ回路２Ａと選択接続制御部５、それに第２の切換スイッチ回路２Ｂを介して基地車上局モデル部６Ｂに供給されることになる。
従って、この実施形態における音声再生装置９は、図２の従来技術におけるハンドセット８の送話器に対応し、スピーカ１０は、同じくハンドセット８の受話器に対応する。
【００１７】
次に、この実施形態の動作について説明する。
試験員は、試験を開始する際、制御局試験装置６を操作し、指定された操作卓ラインと指定された基地局ラインが選択接続制御部５から制御局試験装置６に引き込まれるように切換信号ａ、ｂを出力させ、切換スイッチ回路２Ａ、２Ｂに供給する。そして、これと同時に車上局音声再生装置９の動作を開始させる。
既に説明したように、この音声再生装置９は、動作されると上記した音声信号を繰り返し再生し、それを基地車上局モデル部６Ｂに供給するようになる。
【００１８】
ここで、いま、選択接続制御部５が正常な機能を保っていたとすると、このとき指定された操作卓ラインと基地局ラインが正しく接続される筈である。
そうすると、このときは操作卓モデル部６Ａのハンドセット７の送話器は基地車上局モデル部６Ｂのスピーカ１０に接続され、基地車上局モデル部６Ｂの車上局音声再生装置９は操作卓モデル部６Ａのハンドセット７の受話器に接続されることになる。
そこで、試験員がハンドセット７の送話器に向かって音声を発したとすると、それがスピーカ１０から所定の音量で再生される。
この結果、試験員は、いま自らが発している音声を、ハンドセット７を持ったままで聞くことができ、これと同時に、音声再生装置９から供給されている音声信号による音声がハンドセット７の受話器から再生されているので、これも同じ試験員により聴くことができ、従って、この場合は、選択接続制御部５が正常に機能しているものと判断される。
【００１９】
一方、このとき、スピーカ１０から音声が聞こえなかったり、ハンドセット７の受話器から音声が聞こえなかったりした場合は、選択接続制御部５が正常に機能していないことになり、従って、これにより選択接続制御部５が試験され、正常に機能するか否か１名の試験員により検査できることになる。
そして、以上の操作を、切換スイッチ回路２Ａ、２Ｂを切換えることにより、操作卓ラインと基地局ラインの全てについて行なえば、選択接続制御部５の異常が何れの接続ラインに発生したのか特定ができることになる。
【００２０】
しかも、このとき、スピーカ１０から音声が発せられるので、試験員は、操作卓モデル部６Ａのハンドセット７を持ったままで容易にスピーカ１０から再生される音声を聴くことができ、従って、この実施形態によれば、制御局の試験を１名の試験員により単独で行なうことができる。
また、この結果、試験員はハンドセット７を持つだけで良いので、両手が塞がってしまう虞がなく、ハンドセット７の保持を工夫し、例えば肩と頬で挟んで保持するようにしてやれば両手とも空いたままにでき、従って、試験員が１名でも容易に試験結果の記録に対応することができる。
【００２１】
ところで、以上の実施形態では、ハンドセット７は操作卓モデル部６Ａに接続し、基地車上局モデル部６Ｂに音声再生装置９とスピーカ１０が接続されているが、反対に操作卓モデル部６Ａに音声再生装置９とスピーカ１０を設け、基地車上局モデル部６Ｂにはハンドセット７が設けられるようにしてもよく、この場合も試験員はハンドセット７を持つだけで済む点は同じで、やはり両手が塞がってしまう虞がなく、肩と頬で挟んで保持するようにしてやれば両手とも空いたままにでき、従って、試験員が１名でも容易に試験結果の記録に対応することができる点は、上記の実施形態と同じである。
【００２２】
また、更に、このとき、操作卓モデル部６Ａと基地車上局モデル部６Ｂの何れにもハンドセットを用いず、操作卓モデル部６Ａと基地車上局モデル部６Ｂの双方とも、音声再生装置９とスピーカ１０にしても良い。
この場合、試験員は、何も手にしないで操作卓モデル部６Ａと基地車上局モデル部６Ｂの双方から音声が聴けるので、簡単に両手を自由にすることができる。
【図面の簡単な説明】
【００２３】
【図１】本発明による列車通信システム試験装置の一実施の形態を示すブロック構成図である。
【図２】従来技術による列車通信システム試験装置の一例を示すブロック構成図である。
【図３】従来技術による列車通信システムの一例を示すブロック構成図である。
【符号の説明】
【００２４】
１：操作卓
２：制御局
３：基地局
４：車上局
５：選択接続制御部
６：制御局試験装置
７：ハンドセット
９：音声再生装置
１０：スピーカ
【図１】
2009214683.tif 000003
【図２】
2009214683.tif 000004
【図３】
2009214683.tif 000005